(57)【要約】【課題】同一の会場内で大量の携帯端末からそれぞれ指定された画像情報を円滑に送受信する。【解決手段】携帯端末装置１０と、会場内１００の複数のカメラ１０２と、会場内１００の会場内アクセスポイント２０３と、会場外２００の広域通信ネットワーク２０４と、サーバ１０５と、を有する画像閲覧システム１であって、携帯端末装置１０は、会場内アクセスポイント２０３を介して、サーバ１０５から識別情報を受信する手順と、複数のカメラ１０２のいずれによってどの期間だけ撮影された画像を要求するかを指定された画像要求情報を記憶する不揮発性記憶装置１４と、広域通信ネットワーク２０４を介して、サーバ１０５へ識別情報と画像要求情報を送信し、その返信として編集画像情報を受信する手順と、を備える。【選択図】図２
2014191407.tif 000002
【特許請求の範囲】
【請求項１】
予め定められた領域を区分した複数の無線通信可能範囲にそれぞれ対応する複数の無線通信装置、または前記複数の無線通信可能範囲外の領域に対応する広域通信ネットワークのいずれかとの無線通信を介して所定のサーバと情報送受可能な携帯端末装置であって、
当該携帯端末装置が存在する前記無線通信可能領域に対応した前記無線通信装置との無線通信を介して、前記サーバから当該携帯端末装置に割り当てられた識別情報を受信する識別情報受信手段と、
当該携帯端末装置のユーザからの操作入力により、前記領域内で異なる位置に設置された複数の画像撮影手段のいずれによってどの期間だけ撮影された画像を要求するかを指定された画像要求情報を記憶する要求情報記憶手段と、
前記広域通信ネットワークとの無線通信を介して、前記サーバへ前記識別情報と前記画像要求情報を送信し、その返信として編集画像情報を受信する画像情報受信手段と、
を備えていることを特徴とする携帯端末装置。
【請求項２】
前記携帯端末装置は、
当該携帯端末装置が存在する前記無線通信可能領域に対応した前記無線通信装置との無線通信を介して、前記サーバから前記領域内における前記複数の画像撮影手段と当該携帯端末装置のそれぞれの位置情報を受信する位置情報受信手段と、
前記位置情報に基づいて、前記領域における前記複数の画像撮影手段と当該携帯端末装置のそれぞれの位置を幾何的に表示する位置表示手段と、
を備えていることを特徴とする請求項１記載の携帯端末装置。
【請求項３】
予め定められた領域内の領域を区分した複数の無線通信可能範囲にそれぞれ対応する複数の無線通信装置、または前記複数の無線通信可能範囲外の領域に対応する広域通信ネットワークのいずれかとの無線通信を介して所定のサーバと情報送受可能な携帯端末装置が備えるコンピュータが実行可能な携帯端末用プログラムであって、
当該携帯端末装置が存在する前記無線通信可能領域に対応した前記無線通信装置との無線通信を介して、前記サーバから当該携帯端末装置に割り当てられた識別情報を受信する識別情報受信ステップと、
当該携帯端末装置のユーザからの操作入力により、前記領域内で異なる位置に設置された複数の画像撮影手段のいずれによってどの期間だけ撮影された画像を要求するかを指定された画像要求情報を記憶する要求情報記憶ステップと、
前記広域通信ネットワークとの無線通信を介して、前記サーバへ前記識別情報と前記画像要求情報を送信し、その返信として編集画像情報を受信する画像情報受信ステップと、
を実行させることを特徴とする携帯端末用プログラム。
【請求項４】
予め定められた領域内の領域を区分した複数の無線通信可能範囲にそれぞれ対応する複数の無線通信装置、または前記複数の無線通信可能範囲外の領域に対応する広域通信ネットワークのいずれかとの無線通信を介して所定の携帯端末装置と情報送受可能なサーバであって、
前記領域内で異なる位置に設置された複数の画像撮影手段がそれぞれ撮影した撮影画像情報を記憶する画像情報記憶手段と、
前記無線通信装置を介して前記携帯端末装置に前記識別情報を送信し、前記広域通信ネットワークを介して当該携帯端末装置から前記識別情報を受信して、当該携帯端末装置の認証を行う認証手段と、
前記広域通信ネットワークを介して、前記認証手段で認証した前記携帯端末装置から受信した前記画像要求情報に基づき、前記画像情報記憶手段から抽出した前記撮影画像情報を編集した編集画像情報を当該携帯端末装置へ返信する画像情報送信手段と、
を備えていることを特徴とするサーバ。
【請求項５】
ユーザが所持する携帯端末装置と、
予め定められた領域内で異なる位置に設置された複数の画像撮影手段と、
前記領域内の領域を区分した複数の無線通信可能範囲にそれぞれ対応して前記携帯端末装置と無線通信可能な複数の無線通信装置と、
前記複数の無線通信可能範囲外の領域に存在する前記携帯端末装置と無線通信可能な広域通信ネットワークと、
前記複数の撮影手段、前記複数の無線通信装置、及び前記広域通信ネットワークに情報送受可能に接続されたサーバと、
を有する画像閲覧システムであって、
前記携帯端末装置は、
当該携帯端末装置が存在する前記無線通信可能領域に対応した前記無線通信装置との無線通信を介して、前記サーバから当該携帯端末装置に割り当てられた識別情報を受信する識別情報受信手段と、
当該携帯端末装置のユーザからの操作入力により、前記複数の画像撮影手段のいずれによってどの期間だけ撮影された画像を要求するかを指定された画像要求情報を記憶する要求情報記憶手段と、
前記広域通信ネットワークとの無線通信を介して、前記サーバへ前記識別情報と前記画像要求情報を送信し、その返信として編集画像情報を受信する画像情報受信手段と、を備え、
前記サーバは、
前記複数の画像撮影手段がそれぞれ撮影した撮影画像情報を記憶する画像情報記憶手段と、
前記無線通信装置を介して前記携帯端末装置に前記識別情報を送信し、前記広域通信ネットワークを介して当該携帯端末装置から前記識別情報を受信して、当該携帯端末装置の認証を行う認証手段と、
前記広域通信ネットワークを介して、前記認証手段で認証した前記携帯端末装置から受信した前記画像要求情報に基づき、前記画像情報記憶手段から抽出した前記撮影画像情報を編集した編集画像情報を当該携帯端末装置へ返信する画像情報送信手段と、
を備えていることを特徴とする画像閲覧システム。
【発明の詳細な説明】
【技術分野】
【０００１】
本発明は、公共の会場で公的に撮影された画像を私的に閲覧するための携帯端末装置、携帯端末用プログラム、サーバ、及び画像閲覧システムに関する。
【背景技術】
【０００２】
例えばコンサート会場やスポーツスタジアムなどの公共の会場内では、後にコンテンツとして制作、販売する目的で複数の公的なカメラにより会場内の画像を撮影することが多い。そして来場者自身も、上記コンテンツとは別に、各カメラで撮影された画像を閲覧したい場合がある。
【０００３】
特許文献１には、このように公共の会場内で公的に設置されたカメラにより撮影された画像を個人に提供するシステムが開示されている。この従来技術では、来場者であるユーザ自身が被写体となり、その行動に応じてカメラが自動的に画像を撮影し、それを画像管理サーバが保管する。後にユーザが画像検索端末を用いて通信ネットワーク経由で上記画像管理サーバにアクセスし、取得したい画像を検索してダウンロードする。
【先行技術文献】
【特許文献】
【０００４】
【特許文献１】特開２００２−２４２２９号公報
【発明の概要】
【発明が解決しようとする課題】
【０００５】
しかしながら上記従来技術では、ユーザがどのカメラでどのタイミングで撮影されたかを任意に指定した画像を要求することができない。また、近年では無線通信インフラの普及に伴い、ユーザが所持する携帯端末装置で無線通信を介し画像をダウンロードしたい要望がある。
【０００６】
しかし、会場内に存在する大量の携帯端末装置が同じ時間帯で一斉に画像情報の送信を要求すると、当該会場内に設置した無線通信装置に対して空間的及び時間的に無線通信が集中するためトラフィック負荷が過大となり、通信が困難となる。特に全ての携帯端末装置が同一の画像情報をブロードキャストで送受するのではなく、それぞれが動画などの容量の大きい画像情報を個別に指定して無線通信で送受することは不可能となる。
【０００７】
本発明の目的は、同一の会場内で大量の携帯端末からそれぞれ指定された画像情報を円滑に送受信できる携帯端末装置、携帯端末用プログラム、サーバ、及び画像閲覧システムを提供することにある。
【課題を解決するための手段】
【０００８】
上記目的を達成するために、本願発明は、予め定められた領域を区分した複数の無線通信可能範囲にそれぞれ対応する複数の無線通信装置、または前記複数の無線通信可能範囲外の領域に対応する広域通信ネットワークのいずれかとの無線通信を介して所定のサーバと情報送受可能な携帯端末装置であって、当該携帯端末装置が存在する前記無線通信可能領域に対応した前記無線通信装置との無線通信を介して、前記サーバから当該携帯端末装置に割り当てられた識別情報を受信する識別情報受信手段と、当該携帯端末装置のユーザからの操作入力により、前記領域内で異なる位置に設置された複数の画像撮影手段のいずれによってどの期間だけ撮影された画像を要求するかを指定された画像要求情報を記憶する要求情報記憶手段と、前記広域通信ネットワークとの無線通信を介して、前記サーバへ前記識別情報と前記画像要求情報を送信し、その返信として編集画像情報を受信する画像情報受信手段と、を備えていることを特徴とする。
【０００９】
上記目的を達成するために、本願発明は、予め定められた領域内の領域を区分した複数の無線通信可能範囲にそれぞれ対応する複数の無線通信装置、または前記複数の無線通信可能範囲外の領域に対応する広域通信ネットワークのいずれかとの無線通信を介して所定のサーバと情報送受可能な携帯端末装置が備えるコンピュータが実行可能な携帯端末用プログラムであって、当該携帯端末装置が存在する前記無線通信可能領域に対応した前記無線通信装置との無線通信を介して、前記サーバから当該携帯端末装置に割り当てられた識別情報を受信する識別情報受信ステップと、当該携帯端末装置のユーザからの操作入力により、前記領域内で異なる位置に設置された複数の画像撮影手段のいずれによってどの期間だけ撮影された画像を要求するかを指定された画像要求情報を記憶する要求情報記憶ステップと、前記広域通信ネットワークとの無線通信を介して、前記サーバへ前記識別情報と前記画像要求情報を送信し、その返信として編集画像情報を受信する画像情報受信ステップと、を実行させることを特徴とする。
【００１０】
上記目的を達成するために、本願発明は、予め定められた領域内の領域を区分した複数の無線通信可能範囲にそれぞれ対応する複数の無線通信装置、または前記複数の無線通信可能範囲外の領域に対応する広域通信ネットワークのいずれかとの無線通信を介して所定の携帯端末装置と情報送受可能なサーバであって、前記領域内で異なる位置に設置された複数の画像撮影手段がそれぞれ撮影した撮影画像情報を記憶する画像情報記憶手段と、前記無線通信装置を介して前記携帯端末装置に前記識別情報を送信し、前記広域通信ネットワークを介して当該携帯端末装置から前記識別情報を受信して、当該携帯端末装置の認証を行う認証手段と、前記広域通信ネットワークを介して、前記認証手段で認証した前記携帯端末装置から受信した前記画像要求情報に基づき、前記画像情報記憶手段から抽出した前記撮影画像情報を編集した編集画像情報を当該携帯端末装置へ返信する画像情報送信手段と、を備えていることを特徴とする。
【００１１】
上記目的を達成するために、本願発明は、ユーザが所持する携帯端末装置と、予め定められた領域内で異なる位置に設置された複数の画像撮影手段と、前記領域内の領域を区分した複数の無線通信可能範囲にそれぞれ対応して前記携帯端末装置と無線通信可能な複数の無線通信装置と、前記複数の無線通信可能範囲外の領域に存在する前記携帯端末装置と無線通信可能な広域通信ネットワークと、前記複数の撮影手段、前記複数の無線通信装置、及び前記広域通信ネットワークに情報送受可能に接続されたサーバと、を有する画像閲覧システムであって、前記携帯端末装置は、当該携帯端末装置が存在する前記無線通信可能領域に対応した前記無線通信装置との無線通信を介して、前記サーバから当該携帯端末装置に割り当てられた識別情報を受信する識別情報受信手段と、当該携帯端末装置のユーザからの操作入力により、前記複数の画像撮影手段のいずれによってどの期間だけ撮影された画像を要求するかを指定された画像要求情報を記憶する要求情報記憶手段と、前記広域通信ネットワークとの無線通信を介して、前記サーバへ前記識別情報と前記画像要求情報を送信し、その返信として編集画像情報を受信する画像情報受信手段と、を備え、前記サーバは、前記複数の画像撮影手段がそれぞれ撮影した撮影画像情報を記憶する画像情報記憶手段と、前記無線通信装置を介して前記携帯端末装置に前記識別情報を送信し、前記広域通信ネットワークを介して当該携帯端末装置から前記識別情報を受信して、当該携帯端末装置の認証を行う認証手段と、前記広域通信ネットワークを介して、前記認証手段で認証した前記携帯端末装置から受信した前記画像要求情報に基づき、前記画像情報記憶手段から抽出した前記撮影画像情報を編集した編集画像情報を当該携帯端末装置へ返信する画像情報送信手段と、を備えていることを特徴とする。
【発明の効果】
【００１２】
本発明によれば、同一の会場内で大量の携帯端末からそれぞれ指定された画像情報を円滑に送受信できる。
【図面の簡単な説明】
【００１３】
【図１】画像閲覧システムの主要構成を示す説明図である。
【図２】サーバと携帯端末装置との間の情報送受の態様を示す図と、携帯端末装置の主要構成を示す機能ブロック図である。
【図３】携帯端末装置における操作入力用インターフェース画面の一例を示す図である。
【図４】撮影画像情報に対する要求画像の指定態様を表す図である。
【図５】システム中の各ノード間における情報送受の詳細を表すシーケンスチャートである。
【図６】サーバのＣＰＵが実行する処理内容を示すフローチャートである。
【図７】会場内アクセスポイントのＣＰＵが実行する処理内容を示すフローチャートである。
【図８】携帯端末装置のＣＰＵが実行する処理内容を示すフローチャートである。
【発明を実施するための形態】
【００１４】
以下、本発明の一実施の形態について図面を参照しつつ説明する。なお、本実施形態では、公共のコンサートホール会場（予め定められた領域；以下、会場という）で催された音楽コンサートの模様について公共のカメラで撮影した画像を、来場者個人の携帯端末装置で私的に閲覧する場合を説明する。
【００１５】
図１は、本実施形態に係わる画像閲覧システム１の主要構成を示す説明図である。図１に示すように、会場内１００に設置される公共部分のシステムとしては、ステージ１０１上の公演者を撮影するカメラ１０２Ａ，１０２Ｂ，１０２Ｃ，１０２Ｄ，１０２Ｅ（画像撮影手段）と、会場内１００の座席を無線通信可能範囲とした会場内アクセスポイント１０３Ａ，１０３Ｂ，１０３Ｃ，１０３Ｄ（無線通信装置）と、これらカメラ１０２Ａ〜１０２Ｅ及び会場内アクセスポイント１０３Ａ〜１０３Ｄと有線ＬＡＮ１０４などを介して情報送受可能に接続されたサーバ１０５と、が備えられている。
【００１６】
カメラ１０２Ａ〜１０２Ｅは、図示する例では、会場１００のステージ両脇の２カ所と観客席中の離れた位置の３カ所で計５台設置されており、それぞれ撮影した画像を電子データの撮影画像情報としてサーバ１０５に出力する。この例では、各カメラ１０２Ａ〜１０２Ｅは、その撮影する方向や範囲が固定されており、それぞれでステージ１０１上の各位置を分担して撮影する。またこの例では、各カメラ１０２Ａ〜１０２Ｅの設置位置が当該コンサートホール会場１００の開場直前の設営段階で決定される。
【００１７】
会場内アクセスポイント１０３Ａ〜１０３Ｄは、図示する例では、会場内１００の観客席の領域（領域内の領域）を均等に区分した４つの無線通信可能範囲１０６Ａ，１０６Ｂ，１０６Ｃ，１０６Ｄにそれぞれ対応して計４台設置されている。各会場内アクセスポイント１０３Ａ〜１０３Ｄは、それぞれ対応する無線通信可能範囲１０６Ａ〜１０６Ｄ内の観客席に位置するユーザＹ（来場者、観客）が所持する例えばスマートフォンなどの携帯端末装置１０と、無線ＬＡＮを介して情報送受可能となっている。また、各会場内アクセスポイント１０３Ａ〜１０３Ｄは、ＲＡＭやフラッシュメモリなどの書き換え可能な記憶装置（図示省略）を備えており、これに後述のカメラ位置情報を記憶する。
【００１８】
サーバ１０５は、ハードディスクなどの大容量記憶装置１０５ａ（画像情報記憶手段）を備えたコンピュータで構成されている。このサーバ１０５は、上記有線ＬＡＮ１０４を介して会場内１００の各カメラ１０２Ａ〜１０２Ｅや各会場内アクセスポイント１０３Ａ〜１０３Ｄと接続している他にも、インターネット２０１等の通信回線網を介して、会場外２００の一般的な通信インフラである無線電話基地局２０２や公共（もしくは自宅）の会場外アクセスポイント２０３にも情報送受可能に接続している。なお、このように無線電話基地局２０２による無線電話回線や会場外アクセスポイント２０３による無線ＬＡＮを介して、会場外２００に存在する携帯端末装置１０と情報送受する通信網を、以下において広域通信ネットワーク２０４という。本実施例においてサーバ１０５は会場内に設置しているが、有線ＬＡＮ１０４のネットワーク技術に応じて、サーバ１０５は、会場外２００に設置してもよい。
【００１９】
そして、本実施形態の画像閲覧システム１によるサービスを希望するユーザＹ、つまり音楽コンサートの観客は、予めインターネット等で当該音楽コンサート専用のアプリケーション（以下、専用アプリと適宜略記する）をインストールした携帯端末装置１０を所持してコンサートホール会場１００に来場する。
【００２０】
本実施形態の画像閲覧システム１は、コンサートホール会場１００に集まった多数のユーザＹがそれぞれ所持する携帯端末装置１０とサーバ１０５との間の無線通信を介した画像情報の送受を行う。
【００２１】
図２は、その左側においてサーバ１０５と携帯端末装置１０との間の情報送受の態様を示し、右側において携帯端末装置１０の主要構成を示す機能ブロック図を示している。なお、専用アプリのインストールについては図示、説明を省略している。
【００２２】
まず右側の機能ブロック図において、携帯端末装置１０は、ＣＰＵ１１と、ＲＯＭ１２と、ＲＡＭ１３と、不揮発性記憶装置１４と、タッチパネルディスプレイ１５と、無線ＬＡＮ通信部１６と、広域無線通信部１７とを有している。
【００２３】
ＣＰＵ１１は、所定のプログラムの動作によって各種の演算を行うとともに、他の各部との間で情報の交換や各種の制御指示を出力することで、当該携帯端末装置１０全体を制御する機能を有する。
【００２４】
ＲＯＭ１２は、各種の処理プログラムやその他必要な情報が予め書き込まれた情報記憶媒体である。ＲＡＭ１３は、上記各種のプログラムを実行する上で必要な情報の書き込み及び読み出しが行われる情報記憶媒体である。不揮発性記憶装置１４（要求情報記憶手段）は、例えばフラッシュメモリなどの不揮発性の情報記憶媒体であり、上記専用アプリのプログラムや、後述するカメラ位置情報、識別情報、及び画像要求情報などを記憶する。
【００２５】
タッチパネルディスプレイ１５は、表示部である液晶表示ディスプレイと、入力部であるタッチパネルを一体化したものであり、当該携帯端末装置１０のユーザインターフェースとして機能する。
【００２６】
無線ＬＡＮ通信部１６は、いわゆるＷｉ−Ｆｉ（登録商標）等の無線ＬＡＮ規格に準拠して会場内アクセスポイント１０３Ａ〜１０３Ｄ及び会場外アクセスポイント２０３との情報通信を制御する機能を有する。
【００２７】
広域無線通信部１７は、無線電話回線を介して無線電話基地局２０２との情報通信を制御する機能を有する。
【００２８】
なお、特に図示しないが、サーバ１０５と各会場内アクセスポイント１０３Ａ〜１０３ＤのそれぞれもＣＰＵを備えている。
【００２９】
このような構成を備えて上記専用アプリを起動させた携帯端末装置１０は、図２の左側に示すように、会場内１００の観客席では、その無線通信可能範囲１０６Ａ〜１０６Ｄに対応する会場内アクセスポイント１０３Ａ〜１０３Ｄとだけ無線ＬＡＮを介して情報を送受する。なお、会場内１００の当該観客席において会場外２００の広域通信ネットワーク２０４と通信可能であっても、優先的に会場内アクセスポイント１０３Ａ〜１０３Ｄとだけ無線ＬＡＮ通信を行う。また図２の右側に示すように、会場外２００においては、広域通信ネットワーク２０４の無線電話基地局２０２または会場外アクセスポイント２０３とだけ無線通信を行う。そして、会場内１００と会場外２００の通信経路の区別、つまり会場内アクセスポイント１０３Ａ〜１０３Ｄと広域通信ネットワーク２０４の区別に応じて、携帯端末装置１０とサーバ１０５はそれらの間で送受する情報の内容も区別される（後述の図５参照）。
【００３０】
上記構成の画像閲覧システム１による画像閲覧サービスについて説明する。上記図１に示したように、会場内１００には複数のカメラ１０２Ａ〜１０２Ｅがそれぞれ異なる位置に設置されており、サーバ１０５はそれら複数のカメラ１０２Ａ〜１０２Ｅで撮影した撮影画像情報を全て大容量記憶装置１０５ａに記憶する。各ユーザＹは、携帯端末装置１０への操作入力により複数のカメラ１０２Ａ〜１０２Ｅのいずれによってどの期間だけ撮影された画像を要求するかを指定し、無線通信を介してサーバ１０５にその指定した部分の画像情報を送信するよう要求する。
【００３１】
その要求画像を指定するための操作入力用インターフェース画面２０の一例を図３に示す。図３に示す例では、携帯端末装置１０のタッチパネルディスプレイ１５における表示領域のうち、上方の大部分に会場内１００のマップ２１を模式的に表示しており、下方の一部にコンソール２２を表示している。
【００３２】
会場内マップ２１には、ステージに対応するアイコン２３と、ユーザＹ自身の位置（座席位置）に対応するアイコン２４と、各カメラ１０２Ａ〜１０２Ｅの位置に対応するアイコン２５Ａ，２５Ｂ，２５Ｃ，２５Ｄ，２５Ｅがそれぞれ表示されている。なお、図示する例の会場内マップ２１の表示内容は、上記図１に示したレイアウトに対応している。ユーザＹは、この会場内マップ２１を参照することで、ステージ１０１に対する各カメラ１０２Ａ〜１０２Ｅの配置を明確に把握できる。
【００３３】
コンソール２２には、その時点の日時情報２６と録画操作ボタン２７が表示されており、日時情報２６の下には空白部分が空けられている。ユーザＹは、会場内マップ２１中の各カメラのアイコン２５Ａ〜２５Ｅをコンソール２２の空白部分にドラッグすることでカメラ１０２Ａ〜１０２Ｅを指定し、録画ボタン２７に対する操作で録画のオン・オフを切り替えて録画期間を指定できる。同時に複数のカメラ１０２Ａ〜１０２Ｅを指定することもでき、またコンソール２２中からカメラのアイコン２５Ａ〜２５Ｅをドラッグして外すことで、対応するカメラ１０２Ａ〜１０２Ｅの指定を外すことができる。会場内マップ２１中では、その時点で指定されているカメラのアイコン２５Ａ〜２５Ｅが目立つ色で発色し、コンソール２２の録画ボタン２７も録画中の間だけ明るく発色する。
【００３４】
以上の操作を行うことにより、例えば図４に示すような要求画像の指定が可能となる。まず各カメラ１０２Ａ〜１０２Ｅは、公演開始Ｔ０から公演終了Ｔ６までの間で常に撮影を継続しており、サーバ１０５はそれら全ての影像を記録する。一方、専用アプリを起動している携帯端末装置１０では、上記図３のインターフェース画面２０での操作によってそれら５公演分の撮影画像情報のうちからカメラ１０２Ａ〜１０２Ｅの指定とそれぞれの録画期間の指定をリアルタイムで行える。
【００３５】
これにより、例えば公演者が公演中にステージ１０１上を動き回る場合には、ユーザＹが各カメラ１０２Ａ〜１０２Ｅの被写界中に公演者が入ったことを見計らってカメラ１０２Ａ〜１０２Ｅの指定と録画期間の指定を行うことで、公演者を的確に撮影した画像などを任意に指定できる（図中の網掛け部参照）。なお、図中では図示の煩雑を避けるために、一定時間間隔を単位としてカメラ指定と期間指定がされているが、それぞれ任意のタイミングで指定してもよい。また本実施形態の例では、上述したように、各カメラ１０２Ａ〜１０２Ｅが定点撮影を行っている場合で説明しているが、各カメラ１０２Ａ〜１０２Ｅがその撮影方向を同一の公演者の移動位置を追いかけるように撮影してもよい。また、公演者が複数人いる場合には各カメラ１０２Ａ〜１０２Ｅが各公演者の撮影を分担してもよい。
【００３６】
以上のようにして、公演中にユーザＹが指定したカメラと録画期間に関する情報を画像要求情報としてサーバ１０５に送信することで、サーバ１０５は各画像要求情報に対応して編集された編集画像情報をユーザＹの携帯端末装置１０に送信する。
【００３７】
しかし、会場内１００に存在する大量の携帯端末装置１０が公演中の同じ時間帯で一斉に画像情報の送信を要求すると、当該会場内１００に設置した会場内アクセスポイント１０３Ａ〜１０３Ｄに対して空間的及び時間的に無線通信が集中するためトラフィック負荷が過大となり、通信が困難となる。特に全ての携帯端末装置１０が同一の画像情報をブロードキャストで送受するのではなく、それぞれが動画などの容量の大きい画像情報を個別の内容で指定して無線通信で送受することは不可能となる。
【００３８】
そこで本実施形態の画像閲覧システム１では、サーバ１０５が、会場内１００に存在する携帯端末装置１０と無線通信可能な会場内アクセスポイント１０３Ａ〜１０３Ｄと、会場外２００に存在する携帯端末装置１０と無線通信可能な広域通信ネットワーク２０４（会場外２００の無線電話基地局２０２又は会場外アクセスポイント２０３）の両方と情報送受可能に接続されている。そしてサーバ１０５と携帯端末装置１０は、会場内１００では会場内アクセスポイント１０３Ａ〜１０３Ｄを介して低容量の識別情報だけを送受し、その後の会場外２００では広域通信ネットワーク２０４を介して大容量の画像情報を送受信（ダウンロード）する。
【００３９】
具体的には、上記図２に示すように、会場内１００で各携帯端末装置１０はそれぞれに割り当てられた認証用の識別情報をサーバ１０５から会場内アクセスポイント１０３Ａ〜１０３Ｄの無線ＬＡＮ通信を介して受信する。この識別情報自体は低容量であるため、大量の携帯端末装置１０に対してもトラフィック負荷が小さく済む。そして公演中の会場内１００で、各携帯端末装置１０はユーザＹからの操作入力によって要求する画像（カメラと録画期間）が指定され、それによる画像要求情報を不揮発性記憶装置１４に一旦記憶させる。なおこの公演中の会場内１００では、携帯端末装置１０は指定された画像をサーバ１０５に要求することはできず、公演後の会場外２００で初めて要求可能となる。
【００４０】
その公演後に、指定した画像を会場外２００で要求する際には、携帯端末装置１０の専用アプリが広域通信ネットワーク２０４との無線通信を介して、サーバ１０５へ上記識別情報と画像要求情報を送信する。サーバ１０５は、受信した識別情報で携帯端末装置１０を認証し、認証できた携帯端末装置１０に対しては画像要求情報に基づいた編集画像情報を返信する。これを携帯端末装置１０の専用アプリが、広域通信ネットワーク２０４との無線通信を介して受信する。
【００４１】
このとき、通信を行う対象の携帯端末装置１０が大量にある場合でも、広域通信ネットワーク２０４との無線通信を介して空間的に分散され、また各ユーザＹがそれぞれ任意の時間で行うことで時間的に分散されるため、容量が大きい編集画像情報であっても円滑に送受信できる。この結果、同一の会場内１００で大量の携帯端末からそれぞれ指定された画像情報を円滑に送受信できる。
【００４２】
以上説明した各ノード間の情報送受についての詳細を図５のシーケンスチャートに示す。なお、広域通信ネットワーク２０４におけるノード（無線電話基地局２０２及び会場外アクセスポイント２０３）は単に情報をそのまま送受する中継点であるため、図示及び説明を省略している。
【００４３】
まず、コンサートホール会場１００に観客（ユーザＹ）を入場させる開場前の段階で、サーバ１０５が各会場内アクセスポイント１０３Ａ〜１０３Ｄにカメラ位置情報を送信する。これにより、各会場内アクセスポイント１０３Ａ〜１０３Ｄは、開場直前の設営段階で決定された最新のカメラ位置情報を記憶する。
【００４４】
その後に開場してユーザＹが自分の座席に着席した際には、それぞれ所持する携帯端末装置１０で専用アプリを起動することにより、当該座席位置に対応する会場内アクセスポイント１０３Ａ〜１０３Ｄと自動的に無線ＬＡＮ通信が確立する。この通信確立の際に、会場内アクセスポイント１０３Ａ〜１０３Ｄは携帯端末装置１０に関する情報（例えば当該携帯端末装置１０の個体を識別するＩＤや、無線ＬＡＮ通信に使用されるＭＡＣアドレスや、無線電話通信に使用される電話番号など）を入手し、それを携帯端末情報としてサーバ１０５へ送信する。
【００４５】
これを受信したサーバ１０５は、携帯端末情報に対応付けて当該画像閲覧サービス上における識別情報を発行し、会場内アクセスポイント１０３Ａ〜１０３Ｄへ送信する。これを受信した会場内アクセスポイント１０３Ａ〜１０３Ｄは、携帯端末情報に対応する個体に対して上記カメラ位置情報と識別情報を送信する。これを受信した携帯端末装置１０は、カメラ位置情報を専用アプリに反映させるとともに、識別情報を不揮発性記憶装置１４に記憶する。その後に会場内アクセスポイント１０３Ａ〜１０３Ｄが無線ＬＡＮ通信の終了を指示し、携帯端末装置１０が通信を終了する。会場内１００における無線通信は、以上の無線ＬＡＮ通信だけを行う。
【００４６】
そして公演中においては、サーバ１０５は各カメラ１０２Ａ〜１０２Ｅの撮影画像を撮影時間と対応付け、公演中画像として全て記録する。撮影時間は、具体的には、例えば、タイプスタンプ情報であればよい。一方、各携帯端末装置１０は、上記図３のインターフェース画面２０にてユーザＹの操作入力によりカメラ１０２Ａ〜１０２Ｅと録画期間が指定され、その情報を画像要求情報として不揮発性記憶装置１４に記憶する。
【００４７】
公演が終了した後に、各携帯端末装置１０で専用アプリを起動させた場合には、画像の視聴だけを行う専用のモードに切り替わる。この画像視聴モードでは、会場内アクセスポイント１０３Ａ〜１０３Ｄを介してサーバ１０５と通信を行うことができず、広域通信ネットワーク２０４を介してのみサーバ１０５と通信可能となる。これは、サーバ１０５側で会場内アクセスポイント１０３Ａ〜１０３Ｄを介した無線通信を拒否することによる。
【００４８】
ユーザＹは、会場外２００の任意の場所、任意の時間で専用アプリの上記画像視聴モードを起動することにより、広域通信ネットワーク２０４を介してサーバ１０５へ画像要求情報と識別情報を送信する。サーバ１０５は、これを受信した際に得られた当該携帯端末装置１０の携帯端末情報（個体ＩＤ、ＭＡＣアドレス、電話番号など）と、受信した識別情報とを照合することで、当該携帯端末装置１０が正当に公演中画像を要求できるものであるか否かの認証を行う。正当に要求できる携帯端末装置１０であることが認証できた場合に、受信した画像要求情報に従って編集した編集画像情報を携帯端末装置１０に返信する。携帯端末装置１０は、これを受信（ダウンロード）して希望する画像を閲覧できる。
【００４９】
上記のようにして画像閲覧システム１が各種情報を送受するときに、サーバ１０５、会場内アクセスポイント１０３Ａ〜１０３Ｄ、及び携帯端末装置１０のそれぞれのＣＰＵが実行する処理内容を、図６〜図８のフローチャートにより説明する。
【００５０】
図６はサーバ１０５のＣＰＵ（特に図示せず）が実行する処理内容を示すフローチャートであり、コンサートホール会場１００の開場前で電源が投入された際に実行を開始する。なお、図中では会場内アクセスポイント１０３Ａ〜１０３Ｄを、単に「ＡＰ」と略記している（以下、同様）。
【００５１】
図６において、まず、ステップＳＳ１０５において、サーバのＣＰＵは、特に図示しない操作部での操作入力を介してカメラ位置情報を入力される。この操作入力は、コンサートの主催側が行う。
【００５２】
次にステップＳＳ１１０へ移り、サーバのＣＰＵは、各ＡＰへカメラ位置情報を送信する。
【００５３】
次にステップＳＳ１１５へ移り、サーバのＣＰＵは、各ＡＰから携帯端末情報を受信する。
【００５４】
次にステップＳＳ１２０へ移り、サーバのＣＰＵは、上記ステップＳＳ１１５で受信した携帯端末情報に対応する識別情報を発行し、ＡＰへ返信する。
【００５５】
次にステップＳＳ１２５へ移り、サーバのＣＰＵは、公演前での識別情報発行の受付が終了したか否か、言い換えると公演が開始されたか否かを判定する。受付がまだ終了していない場合、判定は満たされず、ステップＳＳ１１５へ戻って同様の手順を繰り返す。
【００５６】
一方、受付が終了した場合には、判定が満たされ、ステップＳＳ１３０へ移る。
【００５７】
ステップＳＳ１３０では、サーバのＣＰＵは、全てのカメラ１０２Ａ〜１０２Ｅから受信した画像情報をそれぞれ大容量記憶装置１０５ａに記憶する。
【００５８】
次にステップＳＳ１１０へ移り、サーバのＣＰＵは、コンサート公演の画像撮影が終了したか否か、言い換えると公演が終了したか否かを判定する。まだ画像を撮影している最中である場合、判定は満たされず、ステップＳＳ１３０へ戻って撮影画像を記録し続ける。
【００５９】
一方、撮影が終了した場合、判定が満たされ、ステップＳＳ１４０へ移る。
【００６０】
ステップＳＳ１４０では、サーバのＣＰＵは、携帯端末装置１０から画像要求情報及び識別情報（図中省略）を受信するまでループ待機する。画像要求情報を受信した場合には、ステップＳＳ１４５へ移る。
【００６１】
ステップＳＳ１４５では、サーバのＣＰＵは、上記ステップＳＳ１４０での受信が広域通信ネットワーク２０４を介したものであるか否か、言い換えると会場外２００から受信したものであるか否かを判定する。会場内アクセスポイント１０３Ａ〜１０３Ｄから受信した場合、言い換えると会場内１００から受信した場合、判定は満たされず、ステップＳＳ１４０へ戻って次の画像要求情報を受信するまで待機する。
【００６２】
一方、広域通信ネットワーク２０４から受信した場合、言い換えると会場外２００から受信した場合、判定が満たされ、ステップＳＳ１５０へ移る。
【００６３】
ステップＳＳ１５０では、サーバのＣＰＵは、上記ステップＳＳ１４０で画像要求情報とともに受信した識別情報と、その受信の際に入手した携帯端末情報（個体ＩＤ、ＭＡＣアドレス、電話番号など）とを照合して、当該携帯端末装置１０が正当に公演中画像を要求できるものであることを認証できたか否かを判定する。認証できなかった場合、判定は満たされず、ステップＳＳ１４０へ戻って次の画像要求情報を受信するまで待機する。
【００６４】
一方、認証できた場合、判定が満たされ、ステップＳＳ１５５へ移る。
【００６５】
ステップＳＳ１５５では、サーバのＣＰＵは、上記ステップＳＳ１４０で受信した画像要求情報のカメラ及び録画期間の指定にしたがって、大容量記憶装置１０５ａに記憶した公演中画像を、公演中画像に対応付けられた撮影時間を基に編集し、その編集した編集画像情報を広域通信ネットワーク２０４を介して当該携帯端末装置１０へ返信する。そして、上記ステップＳＳ１４０へ戻って同様の手順を繰り返す。
【００６６】
以上において、ステップＳＳ１５０の手順が各請求項記載の認証手段に相当し、ステップＳＳ１５５の手順が各請求項記載の画像情報送信手段に相当する。
【００６７】
図７は会場内アクセスポイント１０３Ａ〜１０３ＤのＣＰＵ（特に図示せず）が実行する処理内容を示すフローチャートであり、サーバ１０５と同様にコンサートホール会場１００の開場前で電源が投入された際に実行を開始する。なお以下において、会場内アクセスポイント１０３Ａ〜１０３Ｄを「会場内ＡＰ」と略記する。
【００６８】
図７において、まず、ステップＳＡ１０５において、会場内ＡＰのＣＰＵは、サーバ１０５から有線ＬＡＮ通信を介して最新のカメラ位置情報を受信し、それを記憶装置に記憶する。
【００６９】
次にステップＳＡ１０５へ移り、会場内ＡＰのＣＰＵは、公演前での識別情報発行の受付が終了したか否か、言い換えると公演が開始されたか否かを判定する。受付が終了した場合、判定が満たされ、このフローを終了する。
【００７０】
一方、受付がまだ終了していない場合、判定は満たされず、ステップＳＡ１１５へ移る。
【００７１】
ステップＳＡ１１５では、その無線通信可能範囲１０６Ａ〜１０６Ｄ内に存在する携帯端末装置１０と無線ＬＡＮ通信を確立する。
【００７２】
次にステップＳＡ１２０へ移り、会場内ＡＰのＣＰＵは、上記ステップＳＡ１１５で無線ＬＡＮ通信を確立した際に相手の携帯端末装置１０から得た携帯端末情報をサーバ１０５へ送信して識別情報の発行を要求する。
【００７３】
次にステップＳＡ１２５へ移り、会場内ＡＰのＣＰＵは、上記ステップＳＡ１２０での携帯端末情報の送信に応じてサーバ１０５から返信された識別情報を受信する。
【００７４】
次にステップＳＡ１３０へ移り、会場内ＡＰのＣＰＵは、上記ステップＳＡ１０５で受信し記憶したカメラ位置情報と、上記ステップＳＡ１２５でサーバ１０５から受信した識別情報を、上記ステップＳＡ１１５で無線ＬＡＮ通信を確立した携帯端末装置１０に対し送信する。
【００７５】
次にステップＳＡ１３５へ移り、会場内ＡＰのＣＰＵは、通信確立している携帯端末装置１０に対して通信を終了させる指示（コマンド）を送信する。
【００７６】
次にステップＳＡ１０５へ移り、会場内ＡＰのＣＰＵは、上記ステップＳＡ１３５で送信した通信終了指示に従って携帯端末装置１０が実際に無線ＬＡＮ通信を終了したか否かを判定する。まだ携帯端末装置１０が無線ＬＡＮ通信を終了していない場合、判定は満たされず、ステップＳＡ１３５へ戻って通信終了指示の再送を繰り返す。
【００７７】
一方、携帯端末装置１０が無線ＬＡＮ通信を終了した場合、判定が満たされ、ステップＳＡ１１０へ戻り、同様の手順を繰り返す。なお、一度識別情報を送信した携帯端末装置１０に対してはそれ以降無線ＬＡＮ通信を確立しない。
【００７８】
図８は専用アプリを起動した携帯端末装置１０のＣＰＵが実行する処理内容を示すフローチャートであり、会場の内外問わず専用アプリを起動した際に実行を開始する。
【００７９】
図８において、まず、ステップＳＫ１０５において、携帯端末装置のＣＰＵ１１は、その時点でコンサート公演が終了しているか否かを判定する。まだ公演が終了していない場合、判定は満たされず、ステップＳＫ１１０へ移る。
【００８０】
ステップＳＫ１１０では、携帯端末装置のＣＰＵ１１は、会場内アクセスポイント１０３Ａ〜１０３Ｄと無線ＬＡＮ通信を確立するまでループ待機し、無線ＬＡＮ通信が確立した際にステップＳＫ１１５へ移る。なお、この時に通信確立する相手は、ユーザＹの座席に対応する無線通信可能範囲１０６Ａ〜１０６Ｄの会場内アクセスポイント１０３Ａ〜１０３Ｄを前提とする。
【００８１】
ステップＳＫ１１５では、携帯端末装置のＣＰＵ１１は、会場内アクセスポイント１０３Ａ〜１０３Ｄから最新のカメラ位置情報と識別情報を受信する。カメラ位置情報は専用アプリのインターフェース画面２０（上記図３参照）に反映させ、識別情報を不揮発性記憶装置１４に記憶する。
【００８２】
次にステップＳＫ１２０へ移り、携帯端末装置のＣＰＵ１１は、上記ステップＳＫ１１０で無線通信を確立した会場内アクセスポイント１０３Ａ〜１０３Ｄから通信終了の指示を受信したか否かを判定する。通信終了指示を受信していない場合、判定は満たされず、ステップＳＫ１１５へ戻って同様の手順を繰り返す。
【００８３】
一方、通信終了指示を受信した場合、判定が満たされ、ステップＳＫ１２５へ移る。
【００８４】
ステップＳＫ１２５では、携帯端末装置のＣＰＵ１１は、会場内アクセスポイント１０３Ａ〜１０３Ｄとの無線ＬＡＮ通信を終了する。
【００８５】
次にステップＳＫ１３０へ移り、携帯端末装置のＣＰＵ１１は、上記図３に示したインターフェース画面２０を表示して画像指定機能（画像指定モード）を起動する。
【００８６】
次にステップＳＫ１３５へ移り、携帯端末装置のＣＰＵ１１は、ユーザＹからの操作入力を介して当該専用アプリの処理を終了させる操作が入力されたか否かを判定する。終了操作が入力された場合、判定が満たされ、このフローを終了する。
【００８７】
一方、終了操作が入力されていない場合、判定は満たされず、ステップＳＫ１４０へ移る。
【００８８】
ステップＳＫ１４０では、携帯端末装置のＣＰＵ１１は、インターフェース画面２０上でのカメラアイコン２５Ａ〜２５Ｅのドラッグ＆ドロップ操作や録画ボタン２７の押下操作といった指定操作が入力されたか否かを判定する。指定操作が入力されていない場合、判定は満たされず、ステップＳＫ１３５へ戻って同様の手順を繰り返す。
【００８９】
一方、指定操作が入力されていた場合、判定が満たされ、ステップＳＫ１４５へ移る。
【００９０】
ステップＳＫ１４５では、携帯端末装置のＣＰＵ１１は、その時点でコンソール２２中にドロップされているカメラアイコン２５Ａ〜２５Ｅのカメラ番号を不揮発性記憶装置１４に記録する。
【００９１】
次にステップＳＫ１５０へ移り、携帯端末装置のＣＰＵ１１は、そのときに切り替えられた録画状態の開始時刻、終了時刻を不揮発性記憶装置１４に記録する。上記ステップＳＫ１４５で記録したカメラ番号の指定と、当該ステップＳＫ１５０で記録した録画の開始、終了時刻の指定の両方の情報で画像要求情報を構成する。そして上記ステップＳＫ１３５へ戻り、同様の手順を繰り返す。
【００９２】
また一方、上記ステップＳＫ１０５の判定において、すでに公演が終了していた場合、判定が満たされ、ステップＳＫ１５５へ移る。
【００９３】
ステップＳＫ１５５では、携帯端末装置のＣＰＵ１１は、さらにユーザＹの入力操作を介して画像再生機能（画像視聴モード）を起動させるか否かを判定する。ユーザＹが画像再生機能を起動させないよう操作した場合には、判定は満たされず、このフローを終了する。
【００９４】
一方、ユーザＹが画像再生機能を起動させるよう操作した場合には、判定が満たされ、ステップＳＫ１６０へ移る。
【００９５】
ステップＳＫ１６０では、携帯端末装置のＣＰＵ１１は、広域通信ネットワーク２０４での無線通信を介してサーバ１０５へ画像要求情報と識別情報（図中では省略）を送信する。
【００９６】
次にステップＳＫ１６５へ移り、携帯端末装置のＣＰＵ１１は、上記識別情報を受信したサーバ１０５から図示しない応答信号等を受け、当該携帯端末装置１０がサーバ１０５に認証されたか否かを判定する。当該携帯端末装置１０がサーバ１０５に認証されなかった場合、判定は満たされず、このフローを終了する。
【００９７】
一方、当該携帯端末装置１０がサーバ１０５に認証された場合、判定が満たされ、ステップＳＫ１７０へ移る。
【００９８】
ステップＳＫ１７０では、携帯端末装置のＣＰＵ１１は、上記ステップＳＫ１６０で送信した画像要求情報に従って編集された編集画像情報を広域通信ネットワーク２０４を介してサーバ１０５から受信し、再生する。
【００９９】
次にステップＳＫ１７５へ移り、携帯端末装置のＣＰＵ１１は、ユーザＹからの操作入力を介して当該専用アプリの処理を終了させる操作が入力されたか否かを判定する。終了操作が入力された場合、判定が満たされ、このフローを終了する。
【０１００】
一方、終了操作が入力されていない場合、判定は満たされず、ステップＳＫ１６０へ戻って同様の手順を繰り返す。
【０１０１】
以上において、ステップＳＫ１１５の手順が各請求項記載の識別情報受信手段に相当し、ステップＳＫ１７０の手順が画像情報受信手段に相当する。
【０１０２】
以上説明したように、本実施形態では、サーバ１０５が、会場内１００に存在する携帯端末装置１０と無線通信可能な会場内アクセスポイント１０３Ａ〜１０３Ｄと、会場外２００に存在する携帯端末装置１０と無線通信可能な広域通信ネットワーク２０４（無線電話基地局２０２又は会場外アクセスポイント２０３）の両方と情報送受可能に接続されている。そしてサーバ１０５と携帯端末装置１０は、会場内１００では無線通信装置を介して低容量の認証情報を送受し、その後の会場外２００では広域通信ネットワーク２０４を介して大容量の編集画像情報を送受信（ダウンロード）する。
【０１０３】
これにより、広域通信ネットワーク２０４との無線通信を介して空間的に分散され、また各ユーザＹがそれぞれ任意の時間で行うことで時間的に分散されるため、容量が大きい編集画像情報であっても円滑に送受信できる。この結果、同一の会場内１００で大量の携帯端末からそれぞれ指定された画像情報を円滑に送受信できる。
【０１０４】
また本実施形態では、会場内１００の領域を区分した複数の無線通信可能領域にそれぞれ対応する複数の会場内アクセスポイント１０３Ａ〜１０３Ｄによって、大量の携帯端末装置１０との無線通信を分担するため、識別情報の送受信も円滑に行える。
【０１０５】
また本実施形態では、実際に会場１００に来場したユーザＹの携帯端末装置１０に識別情報を割り当て、この識別情報で認証できた携帯端末装置１０だけに編集画像情報を送信するため、来場特典としての当該編集画像情報の有用性を向上できる。
【０１０６】
なお、会場外２００における携帯端末装置１０とサーバ１０５との間の通信手段として、無線通信に限られず、それぞれインターネットに接続した有線電話回線、有線ＬＡＮ、又はパーソナルコンピュータとの接続を介して情報を送受してもよい。また、携帯端末がサーバ１０５に対して要求する画像は動画だけでなく、静止画であってもよい。
【０１０７】
また、本実施形態では特に、携帯端末装置１０が会場内アクセスポイント１０３Ａ〜１０３Ｄとの無線通信を介して複数のカメラ１０２Ａ〜１０２Ｅの位置情報を受信し、そのカメラ位置情報に基づいて会場内１００における複数のカメラ１０２Ａ〜１０２Ｅの位置をインターフェース画面２０の会場内マップ２１上に幾何的に表示する。これにより、ユーザＹは会場内１００における（もしくはステージ１０１などに対する）各カメラ１０２Ａ〜１０２Ｅの配置関係を直感的に把握することができ、要求する画像を的確に指定できる。
【０１０８】
なお、携帯端末装置１０は、インターフェース画面２０の会場内マップ２１上で、会場内１００におけるユーザＹ自身の位置をアイコン２４で表示している。この表示を、会場内アクセスポイント１０３Ａ〜１０３Ｄから識別情報及びカメラ位置情報とともに当該携帯端末装置１０を所持するユーザＹの座席位置を示す自己位置情報も併せてサーバ１０５から受信し、この自己位置情報に基づいて会場内マップ２１上にアイコン表示してもよい。この場合に会場内１００におけるユーザＹの自己位置情報は、対応する会場内アクセスポイント１０３Ａ〜１０３Ｄの無線通信可能領域で規定してもよいし、予め別途登録されている座席番号などに基づいてもよい。これによりユーザＹは、自分の位置に対する各カメラ１０２Ａ〜１０２Ｅの配置関係を直感的に把握することができ、要求する画像を的確に指定できる。
【０１０９】
また、以上既に述べた以外にも、上記実施形態や各変形例による手法を適宜組み合わせて利用してもよい。
【０１１０】
その他、一々例示はしないが、本発明は、その趣旨を逸脱しない範囲内において、種々の変更が加えられて実施されるものである。
【符号の説明】
【０１１１】
１                画像閲覧システム
１０              携帯端末装置
１１              ＣＰＵ
１２              ＲＯＭ
１３              ＲＡＭ
１４              不揮発性記憶装置（要求情報記憶手段）
１５              タッチパネルディスプレイ
１６              無線ＬＡＮ通信部
１７              広域無線通信部
２０              操作入力用インターフェース画面
２１              会場内マップ
２２              コンソール
２４              ユーザアイコン
２５Ａ、２５Ｂ、  カメラアイコン
２５Ｃ、２５Ｄ、
２５Ｅ
２７              録画操作ボタン
１００            コンサートホール会場内（予め定められた領域内）
１０２Ａ、        カメラ（画像撮影手段）
１０２Ｂ、１０２Ｃ、
１０２Ｄ、１０２Ｅ
１０３Ａ、        会場内アクセスポイント（無線通信装置）
１０３Ｂ、１０３Ｃ、
１０３Ｄ
１０５            サーバ
１０５ａ          大容量記憶装置（画像情報記憶手段）
１０６Ａ、        無線通信可能範囲
１０６Ｂ、１０６Ｃ、
１０６Ｄ
２００            コンサートホール会場外（予め定められた領域外）
２０４            広域通信ネットワーク
Ｙ                ユーザ
【図１】
2014191407.tif 000003
【図２】
2014191407.tif 000004
【図３】
2014191407.tif 000005
【図４】
2014191407.tif 000006
【図５】
2014191407.tif 000007
【図６】
2014191407.tif 000008
【図７】
2014191407.tif 000009
【図８】
2014191407.tif 000010